(57)【要約】      （修正有）【課題】ポールがアンロック位置にある場合、カムが中央位置から大きくずれることがなくなり、前記ポールを均一にロック方向に移動させることができるリクライニング装置を提供することを課題とする。【解決手段】カム３１の第１突部３１ｄには、ポールを押す面より径方向に突出し、第１ポール４１、第２ポール４２がアンロック位置にある場合、ポールガイド突部３７の内径面３７ｇに当接可能に対向する突部３１ｈが形成されている。【選択図】図８
2019043265.tif 000002
【特許請求の範囲】
【請求項１】
内筒面に円周方向に沿って内歯が形成され、一方の面が開放面となった有底円筒状の第１部材と、
前記内歯と噛合可能な外歯を有した複数のポールと、
前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、
前記第１部材と前記第２部材との間で、回転可能に設けられ、前記ロック位置方向に前記ポールを押すカムと、
を有し、
前記ポールの外歯が前記第１部材の前記内歯に噛合することにより、前記第１部材と第２部材との相対回転が禁止されるリクライニング装置であって、
前記カムに前記ポールを押す面より径方向に突出し、前記ポールがアンロック位置にある場合、前記各ポールガイドに当接可能に対向する複数の突部を形成したことを特徴とするリクライニング装置。
【請求項２】
前記突部は、前記ポールを押す面に隣接して形成され、前記ポールは、ロック位置において、前記突部との干渉を防ぐ逃げ凹部を有することを特徴とする請求項１記載のリクライニング装置。
【請求項３】
前記突部は、前記ポールがアンロック位置にある場合、ロック位置で近接する前記ポールとは別の前記ポールに当接可能に対向することを特徴とする請求項１または２記載のリクライニング装置。  
【発明の詳細な説明】
【技術分野】
【０００１】
本発明は、内筒面に円周方向に沿って内歯が形成され、一方の面が開放面となった有底円筒状の第１部材と、前記内歯と噛合可能な外歯を有した複数のポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、前記第１部材と前記第２部材との間で、回転可能に設けられ、前記ロック位置方向に前記ポールを押すカムと、を有し、前記ポールの外歯が前記第１部材の前記内歯に噛合することにより、前記第１部材と第２部材との相対回転が禁止されるリクライニング装置に関する。
【背景技術】
【０００２】
リクライニング装置の一例として、内筒面に円周方向に沿って内歯が形成され、一方の面が開放面となった有底円筒状の第１部材と、前記内歯と噛合可能な外歯を有した複数のポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、前記第１部材と前記第２部材との間で、回転可能に設けられ、前記ロック位置方向に前記ポールを押すカムと、を有し、前記ポールの外歯が前記第１部材の前記内歯に噛合することにより、前記第１部材と第２部材との相対回転が禁止されるものがある（例えば、特許文献１参照）。
【先行技術文献】
【特許文献】
【０００３】
【特許文献１】特開２０１２−１７０５６６号公報
【発明の概要】
【発明が解決しようとする課題】
【０００４】
しかし、特許文献１に記載された構造では、ポールの外歯が第１部材の内歯に噛合していない状態、即ち、ポールがアンロック位置にある状態では、カムはポールを押しておらず、カムの位置が安定しない。よって、カムは複数のポールを均一にロック方向に移動できない問題点がある。
【０００５】
本発明は、上記問題点に鑑みてなされたもので、その課題は、複数のポールを均一にロック方向に移動させることができるリクライニング装置を提供することにある。
【課題を解決するための手段】
【０００６】
上述した課題のうち少なくとも一つを実現するために、本発明の一側面を反映したリクライニング装置は、内筒面に円周方向に沿って内歯が形成され、一方の面が開放面となった有底円筒状の第１部材と、前記内歯と噛合可能な外歯を有した複数のポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、前記第１部材と前記第２部材との間で、回転可能に設けられ、前記ロック位置方向に前記ポールを押すカムと、を有し、前記ポールの外歯が前記第１部材の前記内歯に噛合することにより、前記第１部材と第２部材との相対回転が禁止されるリクライニング装置であって、前記カムに前記ポールを押す面より径方向に突出し、前記ポールがアンロック位置にある場合、前記各ポールガイドに当接可能に対向する複数の突部を形成したことを特徴とする。
【０００７】
本発明の他の特徴は、以下に述べる発明を実施するための形態並びに添付の図面から一層明らかになるであろう。
【発明の効果】
【０００８】
本発明のリクライニング装置よれば、前記カムに前記ポールを押す面より径方向に突出し、前記ポールがアンロック位置にある場合、前記各ポールガイドに当接可能に対向する複数の突部を形成したことにより、ポールがアンロック位置にある場合、カムが中央位置から大きくずれることがなくなり、ポールを均一にロック方向に移動させることができる。
【０００９】
本発明の他の効果は、以下に述べる発明を実施するための形態並びに添付の図面から一層明らかになるであろう。
【図面の簡単な説明】
【００１０】
【図１】本実施形態のリクライニング装置の分解斜視図である。
【図２】図１の矢印II方向から見た分解斜視図である
【図３】図１のリクライニング装置の部品を組み付け、ポールガイド以外の第２部材を除いた状態で、矢印III方向から見たロック時の正面図である。
【図４】図３において、第２部材を組み付けた状態における切断線IV−IVでの切断部端面図である。
【図５】図３において、第２部材を組み付けた状態における切断線V−Vでの切断部端面図である。
【図６】図３において、第２部材を組み付けた状態における切断線VI−VIでの切断部端面図である。
【図７】図１の第１ポール、第２ポールがロック位置にある場合を説明する図である。
【図８】図１の第１ポール、第２ポールがアンロック位置にある場合を説明する図である。
【図９】本実施形態のリクライニング装置が設けられたシートの構成図である。
【発明を実施するための形態】
【００１１】
図面を用いて実施形態を説明する。
最初に、図９を用いて、本実施形態のリクライニング装置が設けられたシートの説明を行う。シート１は、着座者の臀部を支持するシートクッション２と、シートクッション２に対して前後方向に傾動可能に設けられ、着座者の背部を支持するシートバック３とからなっている。４はシートバック３の傾動の回転軸（Ｏ）上に設けられ、シートバック３の傾動を許可／禁止するリクライニング装置である。
【００１２】
また、このリクライニング装置４は、前倒れ状態から後ろ倒れ状態で傾動可能である。
そして、初段ロック状態から後ろ倒れ状態までの間及び前倒れ状態では、シートバック３の傾動を許可／禁止可能となっているが、初段ロック状態から前倒れ状態までの間では、ロック解除保持機構（詳細は後述）により、ロック解除保持状態となり、操作レバーを操作しなくても、シートクッションの傾動が可能となっている。
【００１３】
本実施形態のリクライニング装置は、シートの左右に設けられ、構造は同じであるので、以下、一方の側のリクライニング装置４を説明する。
図１−図８を用いて、リクライニング装置４の説明を行う。図１は本実施形態のリクライニング装置の分解斜視図、図２は図１の矢印II方向から見た分解斜視図、図３は図１のリクライニング装置の部品を組み付け、ポールガイド以外の第２部材を除いた状態で、矢印II方向から見たロック時の正面図、図４は図３において、第２部材を組み付けた状態における切断線IV−IVでの切断部端面図、図５は図３において、第２部材を組み付けた状態における切断線V−Vでの切断部端面図、図６は図３において、第２部材を組み付けた状態における切断線VI−VIでの切断部端面図、図７は図１の第１ポール、第２ポールがロック位置にある場合を説明する図、図８は図１の第１ポール、第２ポールがアンロック位置にある場合を説明する図である。
【００１４】
シートバック３側に設けられるラチェット（第１部材）２１は、円板状の板材をプレスにより半抜加工した有底円筒状で、円形凹部２１ａが形成されている。この円形凹部２１ａの内周面には、内歯２３が円周方向全域に形成されている。また、円形凹部２１ａの中心には、シートバック３の傾動の回転軸（図１、図２において軸Ｏ）に沿って配置されるシャフト（図示せず）が遊挿される貫通した穴２１ｂが形成されている。尚、本実施形態の図示しないシャフトの断面形状は、円形でない形状とした。
【００１５】
シートクッション２側に設けられるベースプレート（第２部材）２５も、ラチェット２１と同様に円板状の板材をプレスにより半抜加工して形成され、円形凹部２５ａが形成されている。この円形凹部２５ａの径は、ラチェット２１の外径より若干大きく設定されている。そして、円形凹部２５ａに、ラチェット２１が嵌め込まれ、ベースプレート２５とラチェット２１とは相対回転可能となっている。また、ベースプレート２５の中心には、図示しないシャフトが遊挿される貫通した穴２５ｂが形成されている。
【００１６】
ラチェット２１の外周部と、ベースプレート２５の外周部とは、リング状の外周リン
グ２７により挟持され、ラチェット２１とベースプレート２５とは、相対回転の軸Ｏ方向に分離されることなく、相対回転可能に保持されている。
ラチェット２１の円形凹部２１ａとベースプレート２５の円形凹部２５ａとが形成する空間には、カム３１が配置される。カム３１の中心には、図示しないシャフトが嵌合する穴３１ａが形成されている。そして、図示しないシャフトとカム３１とは一体となって回転する。このため、この図示しないシャフトは、シートの両側部に設けられたリクライニング装置のうちの一方のリクライニング装置のカム３１の動きを他方のリクライニング装置のカムへ伝達する伝達部材となっている。又、カム３１には、ラチェット２１方向に突出する３つの突部３１ｃが形成されている。更に、カム３１の外周部には、周方向に沿って３つの第１突部３１ｄと、３つの第２突部３１ｅとが交互に形成されている。更に、カム３１には、後述する３つの線細工ばね５１が係合する３つの穴３１ｆが形成されている。
【００１７】
カム３１とラチェット２１の円形凹部２１ａとの間には、レリーズプレート（レリーズカム）３３が配置される。このレリーズプレート３３には、カム３１の３つの突部３１ｃが係合する穴３３ａが形成されている。この突部３１ｃと穴３３ａの係合により、カム３１とレリーズプレート３３とは一体となって回転する。又、レリーズプレート３３の中心部には、穴３３ｅが形成されている。
【００１８】
レリーズプレート３３とベースプレート２５の円形凹部２５ａとの間には、軸Ｏを中心とする円周方向に沿って、３つのポール、即ち、１つの第１ポール４１と２つの第２ポール４２とが配置されている。尚、本実施形態では、第１ポール４１、第２ポール４２は、軸Ｏを中心とする円周方向において略１２０°ピッチで配置されている。
【００１９】
第１ポール４１、第２ポール４２の内歯２３と対向する面には、内歯２３に噛合可能な外歯４１ａ、外歯４２ａが形成されている。
さらに、第２ポール４２とカム３１との間には、第２カム４４が配置されている。
第１ポール４１の外歯４１ａが設けられた面と反対側の面には、カム３１の第１突部３１ｄが当接可能な第１被当接部４１ｂと、カム３１の第２突部３１ｅが当接可能な第２被当接部４１ｃとが形成されている。
【００２０】
また、第２ポール４２の外歯４２ａが設けられた面と反対側の面には、第２カム４４が当接可能な第１被当接部４２ｂと、カム３１の第２突部３１ｅが当接可能な第２被当接部４２ｃとが形成されている。
第２カム４４には、カム３１の第１突部３１ｄが当接可能な第１被当接部４４ｄと、後述するポールガイド突部（ポールガイド）３７に当接可能なガイド当接部４４ａと、第２ポール４２の第１被当接部４２ｂに当接可能な第１当接部４４ｂとが形成されている。
【００２１】
ベースプレート２５の円形凹部２５ａには、相対回転の軸Ｏを中心とする円の周方向に沿って、１２０°ピッチで３つのポールガイド突部３７が形成されている。さらに、ポールガイド突部３７の間の円形凹部２５ａには、略コの字形で、相対回転の軸Ｏを中心とする円の径方向に延出するガイド部を有するガイド溝３６が形成されている。
【００２２】
隣接する２つのポールガイド突部３７により、第１ポール４１、第２ポール４２は相対回転の軸Ｏを中心とする円の径方向にのみ移動可能となっている。即ち、ポールガイド突部３７は、外歯４１ａ、外歯４２ａがラチェット２１の内歯２３と噛合するロック位置，外歯４１ａ、外歯４２ａがラチェット２１の内歯２３から離れたアンロック位置の間で、第１ポール４１、第２ポール４２を案内する。
【００２３】
第１ポール４１、第２ポール４２のレリーズプレート３３と対向する面には、レリーズプレート３３方向に突出する突部４１ｄ、突部４２ｄが形成されている。レリーズプレート３３には、第１ポール４１の突部４１ｄ、第２ポール４２の突部４２ｄが係合するカム穴３３ｂが形成されている。このカム穴３３ｂには、第１ポール４１の突部４１ｄ、第２ポール４２の突部４２ｄが当接する傾斜面が形成され、レリーズプレート３３が図１、図２において矢印Ｔ方向と逆方向に回転すると、ポールガイド突部３７に沿って、第１ポール４１の外歯４１ａ、第２ポール４２の外歯４２ａがラチェット２１の内歯２３より離れる方向（アンロック位置方向）に第１ポール４１、第２ポール４２を移動させる形状に設定されている。
【００２４】
また、第１ポール４１には、ベースプレート２５のガイド溝３６のガイド部と係合可能な２つの突部４１ｈが形成されている。さらに、第２ポール４２には、ベースプレート２５のガイド溝３６のガイド部と係合可能な１つの突部４２ｈが形成されている。
レリーズプレート３３とラチェット２１の円形凹部２１ａとの間には、略Ｃ状に湾曲された３つの線細工ばね５１が配置される。
【００２５】
ここで、本実施形態のポール４１をアンロック位置に保持するロック解除保持機構の説明を行う。
図１に示すように、ラチェット（第１部材）２１の内歯２３より底面の内筒面には、相対回転の軸Ｏに向かって突出し、円周方向に沿った円弧状のガイド６１が形成されている。ガイド６１は、相対回転の軸Ｏに向かっての突出量が異なる２種類の円弧状突部からなっている。第１の円弧状突部は、中心角がリクライニング装置のロック解除保持状態の角度と同じ３つの小径部６１ａである。第２の円弧状突部はこれら３つの小径部６１ａの間に、径方向の突出量が小径部６１ａより小さい３つの大径部６１ｂである。
【００２６】
図２に示すように、第１ポール４１、第２ポール４２には、ラチェット２１の円弧状のガイド６１（小径部６１ａ，大径部６１ｂ）と対向する突部４１ｅ、突部４２ｅが形成されている。
そして、大径部６１ｂの突出量は、第１ポール４１、第２ポール４２の突部４１ｅ、突部４２ｅがラチェット２１のガイド６１の大径部６１ｂに対向する状態で、第１ポール４１、第２ポール４２の外歯４１ａ、外歯４２ａがラチェット２１の内歯２３に噛合可能な突出量に設定されている。一方、小径部６１ａの突出量は、第１ポール４１、第２ポール４２の突部４１ｅ、突部４２ｅがラチェット２１のガイド６１の小径部６１ａと当接すると、第１ポール４１、第２ポール４２の外歯４１ａ、外歯４２ａがラチェット２１の内歯２３に噛合不可能な突出量に設定されている。
【００２７】
よって、本実施形態では、ラチェット（第１部材）２１のガイド６１の小径部６１ａ
と、第１ポール４１、第２ポール４２の突部４１ｅ、突部４２ｅとで、第１ポール４１、第２ポール４２をアンロック位置に保持するロック解除保持機構が形成されている。
第１ポール４１、第２ポール４２の側部を挟むように設けられた隣接する２つのポールガイド突部（ポールガイド）３７には、それぞれ、第１ポール４１、第２ポール４２の一方の側部と対向する第１ポールガイド３７ａと、第１ポール４１の他方の側部と対向する第２ポールガイド３７ｂ、第２ポール４２の他方の側部と対向する第３ポールガイド３７ｅとが形成されている。
【００２８】
第１ポールガイド３７ａには、第１ポール４１、第２ポール４２の一方の側部との間に空間を形成する凹部３７ｆが形成されている。
第１ポール４１の第２ポールガイド３７ｂと対向する側部は、カム３１側の基端側部４１ｉと、段部を介して、外歯４１ａ側の先端側部４１ｊとからなっている。そして、第１ポール４１の円周方向の幅は、基端側部４１ｉ側より、先端側部４１ｊ側の方が広くなるように設定されている。また、基端側部４１ｉと先端側部４１ｊとは、平行とした。
【００２９】
一方、第２ポールガイド３７ｂは、第１ポール４１の基端側部４１ｉと対向する基端側部３７ｉと、段部を介して、第１ポール４１の先端側部４１ｊと対向する先端側部３７ｊとが形成されている。そして、ガイド３７の第１ポールガイド３７ａと、第２ポールガイド３７ｉ（基端側部３７ｉ，先端側部３７ｊ）とは平行となっている。
【００３０】
第２ポール４２の第３ポールガイド３７ｅと対向する側部のうちカム３１側は、前述したように第２カム４４の第１当接部４４ｂが当接する第１被当接部４２ｂが形成されている。また、第１被当接部４２ｂと段部を介して、外歯４１ａ側には先端側部４２ｋが形成されている。一方、第３ポールガイド３７ｅは、第２カム４４のガイド当接部４４ａと対向する基端側部３７ｌ（第２カムガイド）と、段部を介して、第２ポール４２の先端側部４２ｋと対向する先端側部３７ｋとからなっている。
【００３１】
そして、本形態例では、先端側部３７ｋと基端側部３７ｌとは非平行とした。詳しく説明すると、図７、図８に示すように、先端側部３７ｋは、第２ポール４２のアンロック位置への移動方向と平行に形成されている。言い換えれば、第１ポールガイド３７ａと平行である。一方、基端側部３７ｌ（第２カムガイド）は、第２ポール４２のアンロック位置への移動方向（先端側部３７ｋが延びる方向）よりθだけ内側（第２カム４４方向）に傾斜させている。言い換えれば、第２ポール４２のアンロック位置への移動に対して第１ポールガイド３７ａと先端側部３７ｋとの幅を縮小する方向に傾斜させている。すなわち、第２ポール４２のアンロック方向と交差しているため、ロック時の第２ポール４２がアンロック方向に移動するのをより抑制できるため、ロック状態のガタつきが発生しにくい。また、第２ポール４２に対してアンロック方向への荷重が働いてもロック状態を保持しやすい。
【００３２】
３つの線細工ばね５１の一方の端部側には、ベースプレート２５側に折曲された第１端部５１ａが形成され、他方の端部側には、ベースプレート２５側に折曲された第２端部５１ｂが形成されている。
そして、線細工ばね５１は、弾性変形した状態で、その第１端部５１ａは、レリーズプレート３３の穴３３ｅを通り、カム３１に形成された穴３１ｆに係合し、第２端部５１ｂは、ポールガイド突部３７の凹部３７ｆに挿入されている。
【００３３】
線細工ばね５１の弾性反発力により、線細工ばね５１の第１端部５１ａは、カム３１の穴３１ｆの内壁面を力Ｆで押圧し、カム３１は、第１突部３１ｄ、第２突部３１ｅが、それぞれ第１ポール４１の第１被当接部４１ｂ、第２被当接部４１ｃ、第２ポール４２の第２被当接部４２ｃ、第２カム４４の第１被当接部４４ｄに対向する方向（一方の方向）に付勢されている。
【００３４】
ポールガイド突部３７の凹部３７ｆに挿入された第２端部５１ｂは、第１ポール４１の一方の側部を押圧し、第１ポール４１の他方の側部の基端側部４１ｉ、先端側部４１ｊをポールガイド突部３７の基端側部３７ｉ、先端側部３７ｊに押しつけている。また、ポールガイド突部３７の凹部３７ｆに挿入された第２端部５１ｂは、第２ポール４２の一方の側部を押圧し、第２ポール４２の他方の側部の第２カム４４を介して、また、先端側部４２ｋをポールガイド突部３７の基端側部３７ｌ、先端側部３７ｋに押しつけている。即ち、線細工ばね５１は、第１ポール４１を他方のポールガイド突部（他方のポールガイド）３７方向に押しつけ、第２ポール４２を第２カム４４方向に押しつけている。尚、本実施形態においては、線細工ばね５１はロック状態←→アンロック状態へのそれぞれの移動中も常に他方のポールガイド突部３７方向、または第２カム方向４４に押しつけている。
【００３５】
また、本実施形態では、線細工ばね５１の第２端部５１ｂと、ポールガイド突部３７の凹部３７ｆとの嵌合（挿入）は、線細工ばね５１の第２端部５１ｂが第１ポール４１、第２ポール４２の一方の側部を押圧付勢している。線細工ばね５１の第２端部５１ｂの押圧面と反対側の面側には空間（隙間）が存在し、線細工ばね５１の第２端部５１ｂに付勢力と異なる方向に付勢力以上の力が作用すると、第２端部５１ｂは第１ポール４１、第２ポール４２の一方の側部から離脱する方向に移動可能となっている。
【００３６】
そして、第１ポール４１、第２ポール４２がロック位置にある場合、図７に示すようにカム３１より力Ｆを受ける第２カム４４は、線細工ばね５１の付勢力に抗しながら、力Ｆの分力Ｆ’で第２ポール４２をロック位置方向に押すと共に、力Ｆの分力Ｆ”でポールガイド突部３７の基端側部３７ｌに当接しながら、第２ポール４２をポールガイド突部３７の第１ポールガイド（一方のポールガイド）３７ａに密着させる楔状態が発生するような形状とした。
【００３７】
ここで、上記構成のリクライニング装置の作動を説明する。
通常、線細工ばね５１の弾性反発力により、カム３１を介して、ベースプレート２５に設けられた第１ポール４１、第２ポール４２は、外歯４１ａ、外歯４２ａが、ラチェット２１の内歯２３に噛合したロック位置にあり、ラチェット（第１部材）２１とベースプレート（第２部材）２５との相対回転は禁止され、シートバックはシートクッションに対して回転ができない状態（ロック状態）にある。
【００３８】
線細工ばね５１の付勢力に抗して、カム３１を操作して、他方の方向（矢印Ｔと逆の方向）に回転させると、カム３１の突部３１ｃとレリーズプレート３３の穴３３ａの係合関係から、レリーズプレート３３も共に回転する。この時、カム３１の第１突部３１ｄによる第１ポール４１の第１被当接部４１ｂおよび第２カム４４の第１被当接部４４ｄへの押圧が解除される。
【００３９】
更に、レリーズプレート３３が回転すると、ポール４１の突部４１ｄが係合するレリーズプレート３３のカム穴３３ｂの傾斜面により、第１ポール４１、第２ポール４２（および第２カム４４）は、外歯４１ａ、外歯４２ａとラチェット２１の内歯２３との噛合が解除されたアンロック位置に移動し、ラチェット（第１部材）２１とベースプレート（第２部材）２５との相対回転が可能となり、シートバックはシートクッションに対して回転可能となる。
【００４０】
カム３１への操作力を解除すると、線細工ばね５１の付勢力により、カム３１、レリーズプレート３３は元位置に復帰しつつ、カム３１の第１突部３１ｄが第１ポール４１の第１被当接部４１ｂ及び第２カム４４の第１被当接部４４ｄを押圧し、第１ポール４１、第２ポール４２の外歯４１ａ、外歯４２ａがラチェット２１の内歯２３に噛合し、ラチェット（第１部材）２１とベースプレート（第２部材）２５との相対回転は禁止され、再びロック状態となる。
【００４１】
また、本実施形態では、カム３１の第１突部３１ｄには、ロック状態で第１ポール４１及び第２カム４４を押す面に隣接し、かつ押す面より径方向に突出し、第１ポール４１、第２ポール４２がアンロック位置にある場合、図８に示すように、ポールガイド突部３７の内径面３７ｇにそれぞれ当接可能に対向する突部３１ｈが形成されている。また、突部３１ｈは、第１ポール４１、第２ポール４２がアンロック位置にある場合、ロック時に各第１突部３１ｄと対向する（突部３１ｈと近接する）ポールとは別の第１ポール４１、第２ポール４２にも当接可能に配置されている。さらに、図７に示すように、ロック状態において第１ポール４１および第２カム４４には、突部３１ｈとの干渉を防ぐ逃げ凹部４１ｋ、逃げ凹部４４ｈがそれぞれ形成されている。
【００４２】
本実施形態によれば、以下のような効果が得られる。
(1) カム３１の第１突部３１ｄには、ポールを押す面より径方向に突出し、第１ポール４１、第２ポール４２がアンロック位置にある場合、図８に示すように、各ポールガイド突部３７の内径面３７ｇにそれぞれ当接可能に対向する突部３１ｈが形成されていることにより、アンロック時において、カム３１が中央位置から大きくずれることがなくなり、第１ポール４１、第２ポール４２を均一にロック方向に移動させることができる。
【００４３】
(2) 第１ポール４１、第２カム４４には、それぞれ突部３１ｈとの干渉を防ぐ逃げ凹部４１ｋ、逃げ凹部４４ｈが形成されていることによりロック時に第１ポール４１、第２カム４４と突部３１ｈとの干渉を防止できる。
(3) 突部３１ｈは、第１ポール４１、第２ポール４２がアンロック位置にある場合、ロック時に対向する第１ポール４１、第２ポール４２とは別の第１ポール４１、第２ポール４２にも当接可能に配置されていることにより、アンロック位置での第１ポール４１、第２ポール４２の姿勢が安定し、アンロック位置からロック位置への移動がスムーズに行える。
【００４４】
本発明は、上記実施形態に限定するものではない。
例えば、上記実施形態は、３個のポールで説明を行ったが、２個のポールでも可能である。この場合、ポールは対角に設けられ、第２カムは２個あるのが好ましい。
また、ポールが４個以上ある場合には、第２カムは少なくとも２個あることが好ましい。その際、第２カムを有するポールはなるべく対角に配置するのが好ましい。
【００４５】
さらに、上記実施形態では、カム３１を付勢するばね（第１ばね）と、第１ポール４１，第２ポール４２を一方のポールガイド突部（ポールガイド）３７に押しつけるばね（第２ばね）を同一の線細工ばね５１としたが、それぞれ別のばねを設けても良い。
また、第２ポール４２を案内する先端側部３７ｋと、第２カム４４を案内する基端側部３７ｌ（第２カムガイド）は同一部材（ポールガイド突部３７）に形成したが、別部材に形成してもよい。
【００４６】
更に、上記実施形態では、線細工ばね５１の第１端部５１ａは、カム３１に係合し、カム３１を付勢したが、カム３１と一体となって回転するレリーズプレート３３に係合させてもよい。
【符号の説明】
【００４７】
２１  ラチェット（第１部材）
２５  ベースプレート（第２部材）
３１  カム
３７  ポールガイド
４１  第１ポール
４２  第２ポール
５１  線細工ばね
【図１】
2019043265.tif 000003
【図２】
2019043265.tif 000004
【図３】
2019043265.tif 000005
【図４】
2019043265.tif 000006
【図５】
2019043265.tif 000007
【図６】
2019043265.tif 000008
【図７】
2019043265.tif 000009
【図８】
2019043265.tif 000010
【図９】
2019043265.tif 000011